(57)【特許請求の範囲】
【請求項１】
ゲーム機本体の傾斜を検出する傾斜検出部と、
前記傾斜検出部の出力部の変位に基づいて、景品通過部を遮断するシャッタ部と
を含む景品払出しゲーム機のシャッタ装置において、
前記傾斜検出部は、
案内部をもつベース部材と、
前記案内部に沿って移動可能な重り部材と、
前記ベース部材の傾斜に伴って、前記重り部材が移動した荷重による変位を受けて、前記出力部の変位方向の運動に変換する運動変換機構と
を備えたことを特徴とする景品払出しゲーム機のシャッタ装置。
【請求項２】
請求項１に記載の景品払出しゲーム機のシャッタ装置において、
前記ベース部材は、前記案内部の移動範囲の中心から偏心した位置を中心に回転可能に支持されていること
を特徴とする景品払出しゲーム機のシャッタ装置。
【請求項３】
請求項１又は請求項２に記載の景品払出しゲーム機のシャッタ装置において、
前記シャッタ部は、
前記景品通過部を遮断するシャッタ部材と、
前記シャッタ部材を閉じる方向に付勢する付勢部材と、
前記シャッタ部材を開らく位置に保持するように係合し、前記運動変換機構の変位でその係合を解除する前記ロック部材と
を備えたことを特徴とする景品払出しゲーム機のシャッタ装置。
【請求項４】
請求項３に記載の景品払出しゲーム機のシャッタ装置において、
前記シャッタ板が閉じたことを検出する遮断検出部を備えたこと
を特徴とする景品払出しゲーム機のシャッタ装置。
【発明の詳細な説明】
【０００１】
【発明の属する技術分野】
本発明は、不正に景品の取り出しをされることを防止するのに好適な景品払出しゲーム機のシャッタ装置に関するものである。
【０００２】
【従来の技術】
従来、この種の景品払出しゲーム機は、ゲーム機本体を傾斜させて、景品を取り出すという不正が行なわれる可能性があった。
このために、ゲーム機本体の傾斜を検出する振り子式スイッチと、その振り子式スイッチの出力に基づいて、ソレノイド等を用いて、払出し口を遮断する電磁式シャッタとを備えたシャッタ装置が用いられていた。
【０００３】
【発明が解決しようとする課題】
しかし、前述した従来のシャッタ装置は、ゲーム機本体の電源を切られてしまうと、作動しなくなるという問題があった。また、振り子式スイッチが接触不良を起こして、作動しなくなることもあった。さらに、電源を必要とするので、配線の引回し等が必要となり、構造が複雑であった。
【０００４】
本発明の課題は、簡単かつ確実な機構により作動する景品払出しゲーム機のシャッタ装置を提供することである。
【０００５】
【課題を解決するための手段】
前記課題を解決するために、請求項１の発明は、ゲーム機本体の傾斜を検出する傾斜検出部（３０，５０）と、前記傾斜検出部の出力部の変位に基づいて、景品通過部を遮断するシャッタ部（４０）とを含む景品払出しゲーム機のシャッタ装置において、前記傾斜検出部は、案内部をもつベース部材（３２）と、前記案内部に沿って移動可能な重り部材（３１）と、前記ベース部材の傾斜に伴って、前記重り部材が移動した荷重による変位を受けて、前記出力部の変位方向の運動に変換する運動変換機構（３３，３４）とを備えたことを特徴とする景品払出しゲーム機のシャッタ装置である。
【０００６】
請求項２の発明は、請求項１に記載の景品払出しゲーム機のシャッタ装置において、前記ベース部材は、前記案内部の移動範囲の中心から偏心した位置を中心に回転可能に支持されていることを特徴とする景品払出しゲーム機のシャッタ装置である。
【０００７】
請求項３の発明は、請求項１又は請求項２に記載の景品払出しゲーム機のシャッタ装置において、前記シャッタ部は、前記景品通過部を遮断するシャッタ部材（４１）と、前記シャッタ部材を閉じる方向に付勢する付勢部材（４３）と、前記シャッタ部材を開らく位置に保持するように係合し、前記運動変換機構の変位でその係合を解除する前記ロック部材（４２）とを備えたことを特徴とする景品払出しゲーム機のシャッタ装置である。
【０００８】
請求項４の発明は、請求項３に記載の景品払出しゲーム機のシャッタ装置において、前記シャッタ板が閉じたことを検出する遮断検出部（１７）を備えたことを特徴とする景品払出しゲーム機のシャッタ装置である。
【０００９】
【発明の実施の形態】
以下、図面等を参照して、本発明の実施の形態について、さらに詳しくに説明する。
（第１実施形態）
図１、図２は、本発明が適用される景品払出しゲーム機の実施形態を示す図であって、図１は断面図、図２は斜視図である。
この景品払出しゲーム機１０は、ゲーム機本体１１の透視窓１２内に、複数の景品掛け１３が設けられており、送り機構１４によって、景品掛け１３に掛けられたキーホルダー等の景品２０が景品掛け１３の凹凸部１３ａを乗り越えて手前側に送られてくる。
【００１０】
景品２０は、景品掛け１３の先端までくると、景品通過部１５を通過して、取り出し部１６に落下する。景品センサ１７は、景品２０が景品通過部１５を通過するのを検出する非接触センサであり、その出力は、払出し個数の計数などに使用されている。この景品通過部１５には、ゲーム機本体１１が傾斜したときに、この景品通過部１５を遮断して、景品２０の通過を阻止するシャッタ装置が設けられている。
このシャッタ装置は、ゲーム機本体の傾斜を検出する傾斜検出部３０と、その傾斜検出部３０によって、景品通過部１５を遮断するシャッタ機構部４０とを備えている。
【００１１】
図３は、本実施形態に係るシャッタ装置の傾斜検出部を示す図である。
この傾斜検出部３０は、円柱状の本体３１ａ及びその両側に設けられた溝車部３１ｂからなるウエイト３１と、このウエイト３１の溝車３１ｂが嵌まり、一方向にやや傾斜した案内部３２ａをもつベース３２と、ベース３２に軸３３ａによって回転自在に設けられたベルクランク状の受けレバー３３と、ベース３２の下面に上下方向に移動自在に設けられ、上部が受けレバー３３の一方の腕に軸３４ａによって緩く嵌合しており、下端が半球状に面取りされたプッシュシャフト３４と、プッシュシャフト３４の外周に配置され、受けレバー３３を図３（Ａ）の反時計方向に付勢するばね３５と、ベース３２の案内部３２ａの移動範囲の中心から偏心した位置に設けられ、ベース３２をローリング軸回りに回転可能に支持するベアリング３６等を備えている。
【００１２】
図４は、本実施形態に係るシャッタ装置のシャッタ機構部を示す図である。
シャッタ機構部４０は、上面に係合片４１ａを有し、景品通過部１５の最狭部分を遮断するシャッタ板４１と、一端にシャッタ板４１の係合片４１ａに係合する爪部４２ａを有し、他端側にプッシュシャフト３４の先端が係合し、軸４２ｂを中心に回転自在に支持されたロックレバー４２と、シャッタ板４１を景品通過部１５を閉める方向に付勢するチャージばね４３と、シャッタ板４１を景品通過部１５を開く位置と閉める位置の間に移動自在に案内するレール４４と、シャッタ板４１が閉まる位置でその先端部が当接するストッパ４５などとを備えている。
【００１３】
図５〜図８は、本実施形態のシャッタ装置の動作を説明する図である。
まず、図５に示すように、ゲーム機本体１１に傾きがない状態では、シャッタ板４１は、ロックレバー４２の爪部４２ａに係合されて、ロックされている。
また、ウエイト３１は、ベース３２の案内部３２ａに沿って、その案内部３２ａの傾斜の下方側に移動している。
【００１４】
いま、図５の矢印Ａのように、ゲーム機本体１１が傾斜して、図６に示す状態となったとする。ベース３２は、中心から偏心した位置でベアリング３６によって支持されているので、ベアリング３６を中心にして、矢印Ｂのように、重心がが安定する位置まで回転する。
【００１５】
次に、図７に示すように、ウエイト３１は、安定した位置に静止したベース３２の傾斜下方に、案内部３２ａに沿って回転移動する。すると、ウエイト３１は、受けレバー３３を押して行き、受けレバー３３は、軸３３ａを中心にして、図７の時計方向（矢印Ｃ方向）に回転するので、プッシュロッド３４は、ばね３５の付勢力に抗して、下方に押される。
このために、ロックレバー４２は、図７の反時計方向（矢印Ｄ方向）に、回転して、シャッタ板４１をレリーズする。
【００１６】
シャッタ板４１は、予め、チャージばね４３によってチャージされているので、ロックレバー４２の係合が解けると、矢印Ｅの方向に移動して、景品通過部１５を閉じる。
シャッタ板４１が移動すると、景品センサ１７が遮られるので、不図示の表示部にエラー表示がなされる。
【００１７】
図８に示すように、ゲーム機本体１１が傾斜していない状態に戻すと、ベース３２がベアリング３６によって案内部３２ａの傾斜によって、元の位置に戻る。また、ウエイト３１による力が解除されるので、受け受けレバー３３とロックレバー４２は、ばね３５の付勢力によって、元の状態に戻る。
シャッタ板４１は、手で元の位置に戻すことにより、ロックレバー４２と係合して、図５の状態にロックされる。
【００１８】
（他の実施形態）
図９は、他の実施形態に係るシャッタ装置の傾斜検出部を示す図である。
なお、図３に示した実施形態と同様な機能を果たす部分には、末尾に共通を符号を付して、重複する説明を適宜省略する。
この実施形態の傾斜検出部５０は、受けレバー３３の代わりに、Ｖ型の受けブロック５３を設けた点で相違する。
受けブロック５３は、下部のピン５３ａによって、ベース５２に上下方向に移動自在に支持されており、上部の谷部５３ｂにウエイト５１が載せられている。ゲーム機本体１１が傾くと、ウエイト５１が転がり、受けブロック５３が下方に移動して、プッシュシャフト５４を下方に押し、図４に示すシャッタ機構部４０のロックレバー４２を解除する。
なお、５７は、バランスウエイトである。
【００１９】
以上説明した実施形態に限定されることなく、種々の変形や変更が可能であって、それらも本発明の均等の範囲内である。
例えば、重りは、球型のものであってもよい。また、景品払戻しゲーム機は、コインやカプセルを払い戻すものであってもよい。
【００２０】
【発明の効果】
以上詳しく説明したように、本発明によれば、電動部品を使用していないので、配線の引回しがなく、構造が簡単であり、また、電源を切られても、動作を行なうことができる。さらに、傾斜の検出が確実である。
【図面の簡単な説明】
【図１】本発明が適用される景品払出しゲーム機の実施形態を示す断面図である。
【図２】本発明が適用される景品払出しゲーム機の実施形態を示す斜視図である。
【図３】本実施形態に係るシャッタ装置の傾斜検出部を示す図である。
【図４】本実施形態に係るシャッタ装置のシャッタ機構部を示す図である。
【図５】本実施形態のシャッタ装置の動作を説明する図である。
【図６】本実施形態のシャッタ装置の動作を説明する図である。
【図７】本実施形態のシャッタ装置の動作を説明する図である。
【図８】本実施形態のシャッタ装置の動作を説明する図である。
【図９】他の実施形態に係るシャッタ装置の傾斜検出部を示す図である。
【符号の説明】
１０  景品払出しゲーム機
１１  ゲーム機本体
１２  透視窓
１３  景品掛け
１４  送り機構
１５  景品通過部
１６  取り出し部
２０  景品
３０  傾斜検出部
３１  ウエイト
３２  ベース
３３  受けレバー
３４  プッシュシャフト
３５  ばね
３６  ベアリング
４０  シャッタ機構部
４１  シャッタ板
４２  ロックレバー
４３  チャージばね
４４  レール
４５  ストッパ
【図１】
0003753400.tif 000002
【図２】
0003753400.tif 000003
【図３】
0003753400.tif 000004
【図４】
0003753400.tif 000005
【図５】
0003753400.tif 000006
【図６】
0003753400.tif 000007
【図７】
0003753400.tif 000008
【図８】
0003753400.tif 000009
【図９】
0003753400.tif 000010